【手続補正書】
【提出日】平成23年9月29日(2011.9.29)
【手続補正１】
【補正対象書類名】特許請求の範囲
【補正対象項目名】全文
【補正方法】変更
【補正の内容】
【特許請求の範囲】
【請求項１】
原稿画像の２次元コードをデコードして得られた元情報に、パスワードから生成された一方向ハッシュ値が含まれているか判断するパスワード検出手段と、
前記パスワード検出手段により前記元情報にハッシュ値が含まれていると判断された場合に、パスワードの入力を受け付けるパスワード受付手段と、
前記パスワード受付手段に入力されたパスワードから一方向ハッシュ値を計算して、前記元情報に含まれる一方向ハッシュ値と同一であるかどうかを検証するパスワード検証手段と、
前記検証手段により同一であると判断された場合、前記原稿画像を、前記入力されたパスワードで保護された電子ファイルに変換する変換手段と
を備えたことを特徴とする画像処理装置。
【請求項２】
スキャンされた原稿群から得られた原稿画像の２次元コードをデコードして得られた元情報から、前記原稿群が複数の文書で構成されているか判断する原稿構成判断手段と、
前記原稿構成判断手段で前記原稿群が２つ以上の文書で構成されていたと判断した場合に、前記原稿画像を、文書毎に別々の電子ファイルへ変換するか、１つの電子ファイルに変換するかを決定する構成決定手段とを備え、
前記変換手段は、前記構成決定手段の決定に基づいて電子ファイルへの変換を行うことを特徴とする請求項１に記載の画像処理装置。
【請求項３】
前記構成決定手段で前記原稿画像を１つの電子ファイルに変換すると決定した場合で、文書に対して、前記パスワード受付手段に２つ以上のパスワードが入力されたときに、前記変換手段で電子ファイルを暗号化する際に適用するパスワードを決定するパスワード決定手段を備えたことを特徴とする請求項２に記載の画像処理装置。
【請求項４】
前記パスワード受付手段は、原稿の前記元情報に含まれる文書識別番号に対応付けたパスワードの入力を受け付けることを特徴とする請求項３に記載の画像処理装置。
【請求項５】
前記パスワード受付手段は、原稿の前記元情報に含まる異なる一方向ハッシュ値の数だけパスワードの入力を受け付けることを特徴とする請求項３に記載の画像処理装置。
【請求項６】
前記パスワード受付手段は、各文書を文書プレビューに対応付けたパスワードの入力を受け付けることを特徴とする請求項３に記載の画像処理装置。
【請求項７】
前記パスワード受付手段は、１つのパスワードか、又は、前記１つのパスワードとは全く別のパスワードであって、複数のパスワードの全ての代替になるたった１つのパスワードの入力を受け付けることを特徴とする請求項３に記載の画像処理装置。
【請求項８】
画像処理装置により実行される画像処理方法であって、
原稿画像の２次元コードをデコードして得られた元情報に、パスワードから生成された一方向ハッシュ値が含まれているか判断するパスワード検出ステップと、
前記パスワード検出ステップにおける判断で、前記元情報にハッシュ値が含まれていると判断された場合に、パスワードの入力を受け付けるパスワード受付ステップと、
前記パスワード受付ステップにおいて入力されたパスワードから一方向ハッシュ値を計算して、前記元情報に含まれる一方向ハッシュ値と同一であるかどうかを検証するパスワード検証ステップと、
前記検証ステップにおいて同一であると判断された場合、前記原稿画像を、前記入力されたパスワードで保護された電子ファイルに変換する変換ステップと
を含むことを特徴とする画像処理方法。
【請求項９】
請求項８に記載の方法をコンピュータに実行させるためのプログラム。
【請求項１０】
請求項９に記載のプログラムを記憶させたコンピュータ読み取り可能な記憶媒体。
【手続補正２】
【補正対象書類名】明細書
【補正対象項目名】０００７
【補正方法】変更
【補正の内容】
【０００７】
上記課題を解決するために、請求項１に記載の本発明の画像処理装置は、原稿画像の２次元コードをデコードして得られた元情報に、パスワードから生成された一方向ハッシュ値が含まれているか判断するパスワード検出手段と、前記パスワード検出手段により前記元情報にハッシュ値が含まれていると判断された場合に、パスワードの入力を受け付けるパスワード受付手段と、前記パスワード受付手段に入力されたパスワードから一方向ハッシュ値を計算して、前記元情報に含まれる一方向ハッシュ値と同一であるかどうかを検証するパスワード検証手段と、前記検証手段により同一であると判断された場合、前記原稿画像を、前記入力されたパスワードで保護された電子ファイルに変換する変換手段とを備えたことを特徴とする。
【手続補正３】
【補正対象書類名】明細書
【補正対象項目名】０００９
【補正方法】変更
【補正の内容】
【０００９】
また、請求項３に記載の本発明は、請求項２に記載の画像処理装置において、前記構成決定手段で前記原稿画像を１つの電子ファイルに変換すると決定した場合で、文書に対して、前記パスワード受付手段に２つ以上のパスワードが入力されたときに、前記変換手段で電子ファイルを暗号化する際に適用するパスワードを決定するパスワード決定手段を備えたことを特徴とする。
【手続補正４】
【補正対象書類名】明細書
【補正対象項目名】００１０
【補正方法】変更
【補正の内容】
【００１０】
また、請求項４に記載の本発明は、請求項３に記載のパスワード受付手段が、原稿の前記元情報に含まれる文書識別番号に対応付けたパスワードの入力を受け付けることを特徴とする。
【手続補正５】
【補正対象書類名】明細書
【補正対象項目名】００１１
【補正方法】変更
【補正の内容】
【００１１】
また、請求項５に記載の本発明は、請求項３に記載のパスワード受付手段が、原稿の前記元情報に含まる異なる一方向ハッシュ値の数だけパスワードの入力を受け付けることを特徴とする。
【手続補正６】
【補正対象書類名】明細書
【補正対象項目名】００１２
【補正方法】変更
【補正の内容】
【００１２】
また、請求項６に記載の本発明は、請求項３に記載のパスワード受付手段が、各文書を文書プレビューに対応付けたパスワードの入力を受け付けることを特徴とする。
【手続補正７】
【補正対象書類名】明細書
【補正対象項目名】００１３
【補正方法】変更
【補正の内容】
【００１３】
また、請求項７に記載の本発明は、請求項３に記載のパスワード受付手段が、１つのパスワードか、又は、前記１つのパスワードとは全く別のパスワードであって、複数のパスワードの全ての代替になるたった１つのパスワードの入力を受け付けることを特徴とする。
【手続補正８】
【補正対象書類名】明細書
【補正対象項目名】００１４
【補正方法】変更
【補正の内容】
【００１４】
また、請求項８に記載の本発明は、画像処理装置により実行される画像処理方法であって、原稿画像の２次元コードをデコードして得られた元情報に、パスワードから生成された一方向ハッシュ値が含まれているか判断するパスワード検出ステップと、前記パスワード検出ステップにおける判断で、前記元情報にハッシュ値が含まれていると判断された場合に、パスワードの入力を受け付けるパスワード受付ステップと、前記パスワード受付ステップにおいて入力されたパスワードから一方向ハッシュ値を計算して、前記元情報に含まれる一方向ハッシュ値と同一であるかどうかを検証するパスワード検証ステップと、前記検証ステップにおいて同一であると判断された場合、前記原稿画像を、前記入力されたパスワードで保護された電子ファイルに変換する変換ステップとを含むことを特徴とする。